(57)【要約】【課題】意図しない撮影モードの切り替えの発生を防止する。【解決手段】本発明の撮像装置は、撮影条件の異なる複数の撮影モードで撮影可能であり、設定された撮影モードに応じた撮影条件で撮影した撮影画像を示す画像データを出力するカメラモジュールと、前記撮影が行われる撮影環境に関する情報を取得して出力する情報取得部と、ユーザへの通知を行う通知部と、前記情報取得部から出力された情報に基づき前記撮影環境を類推し、該類推した撮影環境に応じて前記カメラモジュールに設定する撮影モードである代替モードを判定し、前記代替モードへの切り替えを行うか否かの通知を前記通知部に行わせ、前記代替モードへの切り替えを行う旨が入力されると、前記代替モードを前記カメラモジュールに設定する制御部と、を有する。【選択図】図１
2012191427.tif 000002
【特許請求の範囲】
【請求項１】
撮影条件の異なる複数の撮影モードで撮影可能であり、設定された撮影モードに応じた撮影条件で撮影した撮影画像を示す画像データを出力するカメラモジュールと、
前記撮影が行われる撮影環境に関する情報を取得して出力する情報取得部と、
ユーザへの通知を行う通知部と、
前記情報取得部から出力された情報に基づき前記撮影環境を類推し、該類推した撮影環境に応じて前記カメラモジュールに設定する撮影モードである代替モードを判定し、前記代替モードへの切り替えを行うか否かの通知を前記通知部に行わせ、前記代替モードへの切り替えを行う旨が入力されると、前記代替モードを前記カメラモジュールに設定する制御部と、を有することを特徴とする撮像装置。
【請求項２】
請求項１記載の撮像装置において、
前記情報取得部は、前記撮影環境に関する情報として、被写体の色温度に関する情報を取得して出力し、
前記制御部は、前記被写体の色温度に関する情報に基づき前記撮影環境を類推し、前記撮影画像のホワイトバランスが前記類推した撮影環境での撮影に適したものとなる撮影モードを前記代替モードと判定することを特徴とする撮像装置。
【請求項３】
請求項１記載の撮像装置において、
前記情報取得部は、前記撮影環境に関する情報として、温度に関する情報を取得して出力し、
前記制御部は、前記温度に関する情報に基づき前記撮影環境を類推し、前記撮影画像のホワイトバランスが前記類推した撮影環境での撮影に適したものとなる撮影モードを前記代替モードと判定することを特徴とする撮像装置。
【請求項４】
請求項１記載の撮像装置において、
前記情報取得部は、前記撮影環境に関する情報として、前記撮影が行われる時刻に関する情報を取得して出力し、
前記制御部は、前記時刻に関する情報に基づき前記撮影環境を類推し、前記撮影画像のホワイトバランスが前記類推した撮影環境での撮影に適したものとなる撮影モードを前記代替モードと判定することを特徴とする撮像装置。
【請求項５】
請求項４記載の撮像装置において、
前記情報取得部は、前記撮影環境に関する情報として、湿度に関する情報をさらに取得して出力し、
前記制御部は、前記湿度に関する情報および前記時刻に関する情報に基づき前記撮影環境を類推し、前記撮影画像のホワイトバランスが前記類推した撮影環境での撮影に適したものとなる撮影モードを前記代替モードと判定することを特徴とする撮像装置。
【請求項６】
請求項１記載の撮像装置において、
地図データを記憶する記憶部をさらに有し、
前記情報取得部は、前記撮影環境に関する情報として、前記撮像装置の位置に関する情報を取得し、
前記制御部は、前記位置に関する情報および前記記憶部に記憶されている地図データに基づき前記撮影環境を類推し、前記撮影画像のホワイトバランスが前記類推した撮影環境での撮影に適したものとなる撮影モードを前記代替モードと判定することを特徴とする撮像装置。
【請求項７】
請求項６記載の撮像装置において、
前記情報取得部は、前記撮影環境に関する情報として、天気情報をさらに取得して出力し、
前記制御部は、前記位置に関する情報および前記天気情報に基づき前記撮影環境を類推し、前記撮影画像のホワイトバランスが前記類推した撮影環境での撮影に適したものとなる撮影モードを前記代替モードと判定することを特徴とする撮像装置。
【請求項８】
請求項１から７のいずれか１項に記載の撮像装置において、
前記情報取得部は、前記撮影環境に関する情報として、照度に関する情報を取得して出力し、
前記制御部は、前記照度に関する情報に基づき前記撮影環境を類推し、前記撮影を行う際のシャッタ速度が前記類推した撮影環境での撮影に適したものとなる撮影モードを前記代替モードと判定することを特徴とする撮像装置。
【請求項９】
撮影条件の異なる複数の撮影モードで撮影可能であり、設定された撮影モードに応じた撮影条件で撮影した撮影画像を示す画像データを出力するカメラモジュールを有する撮像装置の制御方法であって、
情報取得部が、前記撮影が行われる撮影環境に関する情報を取得して出力し、
制御部が、前記情報取得部から出力された情報に基づき前記撮影環境を類推し、該類推した撮影環境に応じて前記カメラモジュールに設定する撮影モードである代替モード判定し、前記代替モードへの切り替えを行うか否かをユーザに通知し、前記代替モードへの切り替えを行う旨が入力されると、前記代替モードを前記カメラモジュールに設定することを特徴とする撮像装置の制御方法。
【発明の詳細な説明】
【技術分野】
【０００１】
本発明は、複数の撮影モードで撮影可能な撮像装置およびその制御方法に関する。
【背景技術】
【０００２】
近年のデジタル技術の進歩に伴い、撮影画像をデジタルデータとして記憶するデジタルカメラ、デジタルビデオカメラなどの撮像装置が、銀塩フィルムカメラなどに取って代わりつつある。
【０００３】
上述したような撮像装置は、単体の機器として販売、使用され、また、携帯電話、ＰＨＳ（Personal Handy-phone System）、携帯型ゲーム機、ドアフォンなどの電子機器、あるいは、自動車などに組み込まれて販売、使用されており、広く普及している。
【０００４】
撮像装置の普及の一方で、撮像装置の有する機能を十分に使いこなしているユーザはそれ程多くはないという現状がある。
【０００５】
例えば、撮像装置の有する機能の１つに、撮影モードの切り替え機能がある。撮影モードの切り替え機能を有する撮像装置によれば、夜間の撮影に適した夜景モード、人物撮影に適したポートレートモード、屋外の風景の撮影に適した風景モードなど複数の撮影モードの中から、撮影環境に適した撮影モードで撮影を行うことで、より綺麗な撮影画像を得ることができる。
【０００６】
しかし、撮影モードの選択は複雑、煩雑であるため、撮像装置が撮影モードの切り替え機能を有するものであっても、初期設定の撮影モードのまま撮影を行うユーザが多いというのが現状である。
【０００７】
そこで、特許文献１（特開２００５−１１７４５７号公報）には、撮影が行われる日付および撮影環境の温度に関する情報を取得し、取得した情報に基づいて撮影環境を類推し、類推した撮影環境に適すると判定した撮影モードに自動的に切り替えを行う撮像装置が開示されている。特許文献１に開示の端末装置によれば、例えば、撮影が行われる日付が冬である場合に、温度が所定値以上であれば、撮影環境が屋内であると類推され、屋内での撮影に適した撮影モードに自動的に切り替えが行われる。
【先行技術文献】
【特許文献】
【０００８】
【特許文献１】特開２００５−１１７４５７号公報
【発明の概要】
【発明が解決しようとする課題】
【０００９】
撮影環境に適した撮影モードの判定には、撮影環境が屋内か屋外かだけでなく、例えば、白熱灯下であるか、蛍光灯下であるかなども影響する。特許文献１に開示の端末装置は、撮影環境が屋内であることは類推できても、白熱灯下であるか、蛍光灯下であるかまでは類推することができず、撮影環境の類推精度がよくない。したがって、特許文献１に開示の端末装置には、撮影環境の類推精度が悪く、撮影モードを誤判定するおそれがあるにも関わらず、撮影モードの切り替えが自動的に行われるため、撮影環境に適さない撮影モードにユーザの意図しない切り替えが行われるおそれがあるという課題がある。
【００１０】
本発明の目的は、上述した課題を解決し、意図しない撮影モードの切り替えが行われることを防ぐことができる撮像装置およびその制御方法を提供することにある。
【課題を解決するための手段】
【００１１】
上記目的を達成するために本発明の撮像装置は、
撮影条件の異なる複数の撮影モードで撮影可能であり、設定された撮影モードに応じた撮影条件で撮影した撮影画像を示す画像データを出力するカメラモジュールと、
前記撮影が行われる撮影環境に関する情報を取得して出力する情報取得部と、
ユーザへの通知を行う通知部と、
前記情報取得部から出力された情報に基づき前記撮影環境を類推し、該類推した撮影環境に応じて前記カメラモジュールに設定する撮影モードである代替モードを判定し、前記代替モードへの切り替えを行うか否かの通知を前記通知部に行わせ、前記代替モードへの切り替えを行う旨が入力されると、前記代替モードを前記カメラモジュールに設定する制御部と、を有する。
【００１２】
上記目的を達成するために本発明の撮像装置の制御方法は、
撮影条件の異なる複数の撮影モードで撮影可能であり、設定された撮影モードに応じた撮影条件で撮影した撮影画像を示す画像データを出力するカメラモジュールを有する撮像装置の制御方法であって、
情報取得部が、前記撮影が行われる撮影環境に関する情報を取得して出力し、
制御部が、前記情報取得部から出力された情報に基づき前記撮影環境を類推し、該類推した撮影環境に応じて前記カメラモジュールに設定する撮影モードである代替モード判定し、前記代替モードへの切り替えを行うか否かをユーザに通知し、前記代替モードへの切り替えを行う旨が入力されると、前記代替モードを前記カメラモジュールに設定する。
【発明の効果】
【００１３】
本発明によれば、意図しない撮影モードの切り替えの発生を防ぐことができる。
【図面の簡単な説明】
【００１４】
【図１】本発明の一実施形態の撮像装置の構成を示すブロック図である。
【図２】図１に示す情報取得部の構成を示すブロック図である。
【図３】図１に示す撮像装置の動作を示すフローチャートである。
【図４】関連する撮像装置の動作を示すフローチャートである。
【発明を実施するための形態】
【００１５】
以下に、本発明を実施するための形態について図面を参照して説明する。
【００１６】
図１は、本発明の一実施形態の撮像装置の構成を示すブロック図である。
【００１７】
図１に示す撮像装置１は、カメラモジュール１０と、入力部２０と、表示部３０と、メモリ４０と、情報取得部５０と、ＣＰＵ６０と、上述した各部を接続するバス７０と、を有する。
【００１８】
カメラモジュール１０は、レンズモジュール１１０と、Ａ／Ｄコンバータ１２０と、画像処理用メモリ１３０と、ＤＳＰ（Digital Signal Processor）１４０と、を有する。
【００１９】
レンズモジュール１１０は、レンズ１１１と、撮像素子１１２と、を有する。
【００２０】
なお、表示部３０は、通知部の一例であり、メモリ４０は、記憶部の一例であり、ＣＰＵ６０は、制御部の一例である。
【００２１】
カメラモジュール１０は、撮影条件の異なる複数の撮影モードで撮影可能であり、設定された撮影モードに応じた撮影条件で撮影した撮像画像を示す画像データを出力する。
【００２２】
レンズモジュール１１は、レンズ１１１を用いて撮像装置１の外部からの光信号を集光し、ＣＣＤ（Charge Coupled Device Image Sensor）、ＣＭＯＳ（Complementary Metal Oxide Semiconductor）などの撮像素子１１２を用いてレンズ１１１が集光した光信号を受光して、Ａ／Ｄコンバータ１２０に出力する。
【００２３】
Ａ／Ｄコンバータ１２０は、撮像素子１１２から出力された光信号をデジタル信号に光電変換し、ＤＳＰ１４０に出力する。
【００２４】
画像処理用メモリ１３０は、Ａ／Ｄコンバータ１２０から出力されたデジタル信号に対する画像補正処理に用いられる種々のデータを記憶する。
【００２５】
ＤＳＰ１４０は、Ａ／Ｄコンバータ１２０から出力されたデジタル信号に対して画像処理用メモリ１３０に記憶されている種々のデータを用いて画像補正処理を行い、画像データとして出力する。
【００２６】
入力部２０は、ユーザからの操作入力に応じた信号をＣＰＵ６０に出力する。
【００２７】
表示部３０は、ＣＰＵ６０の制御に従い、種々の映像を表示する。
【００２８】
メモリ４０は、カメラモジュール１０が撮影可能な撮影モードの種別などを記憶する。
【００２９】
情報取得部５０は、撮影環境に関する情報である撮影環境情報を取得し、ＣＰＵ６０に出力する。なお、撮影環境情報の詳細については後述する。
【００３０】
ＣＰＵ６０は、情報取得部５０から出力された撮影環境情報に基づき撮影環境を類推し、メモリ４０に記憶されている撮影モードの中から、類推した撮影環境に適した撮影モードである代替モードを判定する。また、ＣＰＵ６０は、代替モードへの切り替えを行うか否かを示すメッセージを表示部３０に表示させ、入力部２０を介して撮影モードの切り替えを行う旨が入力されると、代替モードをカメラモジュール１０に設定する。
【００３１】
次に、情報取得部５０の構成について説明する。
【００３２】
図２は、情報取得部５０の構成を示す図である。
【００３３】
図２に示す情報取得部５０は、色温度情報取得部５１０と、照度情報取得部５２０と、温湿度情報取得部５３０と、位置情報取得部５４０と、天気情報取得部５５０と、時刻情報取得部５６０と、を有する。
【００３４】
色温度情報取得部５１０は、例えば、色温度センサを用いて被写体の色温度を測定し、測定した色温度を示す色温度情報を出力する。
【００３５】
照度情報取得部５２０は、例えば、照度センサを用いて照度を測定し、測定した照度を示す照度情報を出力する。
【００３６】
温湿度情報取得部５３０は、例えば、温度センサおよび湿度センサを用いて温度および湿度を測定し、測定した温度を示す温度情報、および、湿度を示す湿度情報を出力する。
【００３７】
位置情報取得部５４０は、例えば、ＧＰＳ（Global Positioning System）衛星から送信されるＧＰＳ電波に基づき測定した撮像装置１の位置を示す位置情報を出力する。
【００３８】
天気情報取得部５５０は、例えば、ネットワークを介して天気情報を取得し、出力する。
【００３９】
時刻情報５６０は、撮影が行われる時刻を示す時刻情報を出力する。
【００４０】
上述した各部から出力された情報は、ＣＰＵ６０が撮影環境を類推するための撮影環境情報として用いられる。
【００４１】
次に、本実施形態の撮像装置１の動作について、図３に示すフローチャートを参照して説明する。なお、比較のために、一般的な撮像装置の動作を示すフローチャートを図４に示す。図４において、図３と同様の動作については同じ符号を付す。
【００４２】
まず、入力部３０を介して撮像装置１を起動させる旨が入力されると、ＣＰＵ６０は、カメラモジュール１０を起動し、初期設定として割り当てられている撮影モードであるオートモードを設定する（ステップＳ１０１）。
【００４３】
カメラモジュール１０においては、レンズ１１１は、光信号を集光し、撮像素子１１２は、集光された光信号を受光して出力する。Ａ／Ｄコンバータ１２０は、撮像素子１１２が受光した光信号をデジタル信号へ光電変換し、ＤＳＰ１４０は、画像処理用メモリ１３０に記憶されているデータを用いて、そのデジタル信号に対して画像補正処理を行い、画像データとしてＣＰＵ６０に出力する。
【００４４】
ＣＰＵ６０は、情報取得部５０に撮影環境情報を取得させ、情報取得部５０から出力される撮影環境情報を取得する（ステップＳ１０２）。
【００４５】
次に、ＣＰＵ６０は、取得した撮影環境情報に基づき撮影環境を類推し、メモリ４０に記憶されている撮影モードのなかに、現在の撮影モード（オートモード）よりも、類推した撮影環境に適した代替モードが存在するか否かを判定する（ステップＳ１０３）。なお、代替モードの判定方法については後述する。
【００４６】
代替モードがない、または、撮影モードの切り替えが不要である場合には（ステップＳ１０３：Ｎｏ）、ＣＰＵ６０は、ＤＳＰ１４０から出力された画像データに示される画像をプレビュー表示として表示部３０に表示させる（ステップＳ１０４）。
【００４７】
次に、ＣＰＵ６０は、入力部２０を介して撮影モードの切り替えを行う旨が入力されたか否かを判定する（ステップＳ１０５）。
【００４８】
撮影モードの切り替えを行う旨の入力が行われず（ステップＳ１０５：Ｎｏ）、シャッタの押下げが行われると（ステップＳ１０６）、ＣＰＵ６０は、カメラモジュール１０に撮影を行わせ、撮影画像を表示部３０に表示させる（ステップＳ１０７）。
【００４９】
次に、ＣＰＵ６０は、表示部３０に表示された撮影画像を示す画像データをメモリ４０に記憶させる旨が入力されたか否かを判定する（ステップＳ１０８）。
【００５０】
画像データをメモリ４０に記憶させる旨が入力されると（ステップＳ１０８：Ｙｅｓ）、ＣＰＵ６０は、その画像データをメモリ４０に記憶させる（ステップＳ１０９）。
【００５１】
画像データをメモリ４０に記憶させない旨が入力されると（ステップＳ１０８：Ｎｏ）、ＣＰＵ６０は、ステップＳ１０６の処理に戻る。
【００５２】
撮影モードの切り替えを行う旨が入力されると（ステップＳ１０５：Ｙｅｓ）、ＣＰＵ６０は、撮影モードの指定を受け付け、ユーザが指定した撮影モードをカメラモジュール１０に設定して撮影を行わせて（ステップＳ１１０）、ステップＳ１０４の処理に進み、撮影画像をプレビュー表示として表示部３０に表示させる。
【００５３】
一方、代替モードがある場合には（ステップＳ１０３：Ｙｅｓ）、ＣＰＵ６０は、撮影モードの切り替えを行うか否かを示すメッセージを表示部３０に表示させ（ステップＳ１１１）、撮影モードの切り替えを行う旨が入力された否かを判定する（ステップＳ１１２）。
【００５４】
撮影モードの切り替えを行わない旨が入力されると（ステップＳ１１２：Ｎｏ）、ＣＰＵ６０は、ステップＳ１０４の処理に進む。
【００５５】
撮影モードの切り替えを行う旨が入力されると（ステップＳ１１２：Ｙｅｓ）、ＣＰＵ６０は、代替モードをカメラモジュール１０に設定して撮影を行わせて（ステップＳ１１３）、ステップＳ１０４の処理に進み、撮影画像をプレビュー表示として表示部３０に表示させる。
【００５６】
上述したように、本実施形態の撮像装置１においては、一般的な撮像装置と比較して、撮影環境情報に基づき類推した撮影環境に適した代替モードを判定する処理（ステップＳ１０２〜Ｓ１０３）と、代替モードへの切り替えを行うか否かを問い合わせ、代替モードへの切り替えを行う旨が入力されると、代替モードに切り替える処理（ステップＳ１１１１〜１１３）と、が付加されている点が大きく異なる。
【００５７】
なお、図３においては、ＣＰＵ６０は、カメラモジュール１０の起動時に撮影モードとしてオートモードを設定する例を用いて説明したが、これに限られるものではなく、他のモードが設定されてもよい。
【００５８】
また、図３においては、一度、代替モードが設定されると、撮像装置１が再起動されない限り、代替モードの判定が行われないが、これに限られず、情報取得部５０が、定期的に撮影環境情報を取得し、ＣＰＵ６０が、その撮影環境情報に基づき類推した撮影環境に適した代替モードの判定を定期的に行うようにしてもよい。代替モードの判定を定期的に行うようにすることで、撮影環境の変化に追従して、撮影環境に適した撮影モードの判定を行うことができる。
【００５９】
次に、代替モードの判定方法について説明する。
【００６０】
まず、色温度情報に基づく代替モードの判定方法について説明する。
【００６１】
色温度情報に示される被写体の色温度が、例えば、３０００Ｋ以下である場合には、ＣＰＵ６０は、撮影環境が白熱灯下であると類推し、撮影画像のホワイトバランスが、撮影環境が白熱灯下である場合に適したものとなる撮影モード（白熱灯モード）を代替モードと判定する。また、色温度情報に示される被写体の色温度が、例えば、８０００Ｋ以上である場合には、ＣＰＵ６０は、撮影環境が屋外であり、かつ、曇り空であると類推し、撮影画像のホワイトバランスが、撮影環境が屋外であり、かつ、曇り空である場合に適したものとなる撮影モード（曇天モード）を代替モードと判定する。
【００６２】
次に、照度情報に基づく代替モードの判定方法について説明する。
【００６３】
照度情報に示される照度が、例えば、１００Ｌｕｘ以下である場合には、ＣＰＵ６０は、撮影環境が暗所であると推定し、カメラモジュール１０のシャッタ速度が、撮影環境が暗所である場合に適したものとなる撮影モード（ナイトモード）を代替モードと判定する。
【００６４】
次に、時刻情報に基づく代替モードの判定方法について説明する。
【００６５】
時刻情報に示される時刻が、例えば、深夜である場合には、ＣＰＵ６０は、ユーザが屋外に存在する可能性は低いので、撮影環境は室内であると類推し、撮影画像のホワイトバランスが、撮影環境が室内である場合に適したものとなる撮影モード（室内モード）を代替モードと判定する。
【００６６】
また、ＣＰＵ６０は、過去にユーザが撮像装置１を使用した使用時刻の履歴とその使用時に設定された撮影モードとを記憶しておき、ユーザの行動パターンから代替モードを判定するようにしてもよい。
【００６７】
次に、温度情報および湿度情報に基づく代替モードの判定方法について説明する。
【００６８】
温度情報に示される温度が、例えば、所定値（例えば、５℃）よりも低い場合には、ＣＰＵ６０は、撮影環境は室外であると類推し、撮影画像のホワイトバランスが、撮影環境が室外である場合に適したものとなる撮影モード（屋外モード、風景モードなど）を代替モードと判定する。
【００６９】
湿度情報に示される湿度が、例えば、所定値よりも高く、かつ、時刻情報に示される時刻が冬の季節を示す場合には、ＣＰＵ６０は、撮影環境が加湿器などにより湿度管理が行われている場所、つまり、室内であると類推し、室内モードを代替モードと判定する。
【００７０】
次に、位置情報に基づく代替モードの判定方法について説明する。
【００７１】
ＣＰＵ６０は、例えば、メモリ４０に記憶されている地図データに基づき、位置情報に示される位置に建物が存在する場合には撮影環境は室内と類推し、室内モードを代替モードと判定する。また、ＣＰＵ６０は、位置情報に示される位置に建物が存在しない場合には撮影環境は室外と類推し、屋外モード、風景モードなどを代替モードと判定する。
【００７２】
次に、天気情報に基づく代替モードの判定方法について説明する。
【００７３】
ＣＰＵ６０は、位置情報に示される位置の天気を天気情報に基づき特定し、例えば、位置情報に示される位置の天気が曇り空である場合には、曇天モードを代替モードと判定する。
【００７４】
なお、例えば、色温度情報だけを用いても、撮影環境の類推を行うことができる。したがって、情報取得部５０は、上述した、色温度情報取得部５１０、照度情報取得部５２０、温湿度情報取得部５３０、位置情報取得部５４０、天気情報取得部５５０、および、時刻情報取得部５６０を全て有している必要はなく、上述した各部の一部だけを有するようにしてもよい。ただし、撮影環境情報として種々の情報を取得するほうが撮影環境を類推する精度は向上するので、情報取得部５０は、上述した各部をできるだけ多く備え、ＣＰＵ６０は、情報取得部５０に備えられた各部から出力された情報を組み合わせて撮影環境を類推するようにすることが望ましい。
【００７５】
このように、本実施形態の撮像装置１によれば、撮影環境情報に基づき類推した撮影モードに適した代替モードを判定し、代替モードへの切り替えを行うか否かの通知を行い、代替メードへの切り替えを行う旨が入力されると、代替モードへの切り替えを行う。
【００７６】
そのため、ユーザの意図しない撮影モードの切り替えの発生を防ぐことができる。
【符号の説明】
【００７７】
１    撮像装置
１０    カメラモジュール
１１０    レンズモジュール
１１１    レンズ
１１２    撮像素子
１２０    Ａ／Ｄコンバータ
１３０    画像処理用メモリ
１４０    ＤＳＰ
２０    入力部
３０    表示部
４０    メモリ
５０    情報取得部
５１０    色温度情報取得部
５２０    照度情報取得部
５３０    温湿度情報取得部
５４０    位置情報取得部
５５０    天気情報取得部
５６０    時刻情報取得部
６０    ＣＰＵ
７０    バス
【図１】
2012191427.tif 000003
【図２】
2012191427.tif 000004
【図３】
2012191427.tif 000005
【図４】
2012191427.tif 000006